(57)【特許請求の範囲】
【請求項１】
ＡＶソース機器より与えられる映像信号及び音声信号のうち少なくとも１つの信号となるＡＶデータを第１無線信号として送信する第１通信部と、前記ＡＶソース機器を制御するための制御信号である第２無線信号を受信する第２通信部と、前記第２通信部で受信された前記第２無線信号より前記ＡＶソース機器への制御信号の確認を行うとともに装置全体の制御を行う制御部と、該制御部で確認された制御信号に基づいて赤外線信号を生成して送信する発光部と、を有し、前記発光部が複数の前記ＡＶソース機器それぞれに対して赤外線信号を照射可能であるＡＶデータ送信装置において、
前記第１通信部に与えるＡＶデータとして、前記複数のＡＶソース機器から与えられる複数のＡＶデータから１つを選択するとき、ＡＶデータの入力選択が解除されたＡＶソース機器の再生動作を自動的に停止させるための赤外線信号を、前記発光部から送信することを特徴とするＡＶデータ送信装置。
【請求項２】
前記発光部が複数の赤外線発光素子を略円錐状に配置して構成されることを特徴とする請求項１に記載のＡＶデータ送信装置。
【請求項３】
前記発光部が複数の前記ＡＶソース機器に対して赤外線信号が照射可能となるように、前記発光部を複数備えることを特徴とする請求項１に記載のＡＶデータ送信装置。
【請求項４】
複数の前記ＡＶソース機器それぞれに対して赤外線信号を照射するように、照射する前記ＡＶソース機器と同数の前記発光部を備え、前記各発光部が単一のＡＶソース機器にのみ赤外線信号の照射が可能であることを特徴とする請求項３に記載のＡＶデータ送信装置。
【請求項５】
複数の前記ＡＶソース機器の内の前記ＡＶデータを送信するように設定される入力機器となるＡＶソース機器に対応した前記発光部のみを発光させることを特徴とする請求項４に記載のＡＶデータ送信装置。
【請求項６】
前記発光部が、
前記ＡＶソース機器における赤外線信号を受信する受光部に対して赤外線信号を照射する赤外線発光素子と、
該赤外線発光素子から前記受光部への方向以外の赤外線の照射を防ぐための遮蔽部と、
を有することを特徴とする請求項４又は請求項５に記載のＡＶデータ送信装置。
【請求項７】
前記遮蔽部の一部に外部からの赤外線信号が透過可能な赤外線通過可能領域を設けるとともに、該赤外線透過可能領域を通じて外部からの赤外線信号を前記ＡＶソース機器の受光部に照射可能としたことを特徴とする請求項６に記載のＡＶデータ送信装置。
【請求項８】
前記赤外線通過可能領域が、前記遮蔽部を貫通させた領域であることを特徴とする請求項７に記載のＡＶデータ送信装置。
【請求項９】
複数の前記発光部のうち、赤外線信号の送信動作を行う発光部を選択するとともに、前記制御部で確認された制御信号を選択した発光部に与える発光部切換部を有することを特徴とする請求項３〜請求項８のいずれかに記載のＡＶデータ送信装置。
【請求項１０】
前記複数のＡＶソース機器から与えられる複数のＡＶデータから１つを選択し、前記第１通信部に与える入力切換部を有することを特徴とする請求項１〜請求項９のいずれかに記載のＡＶデータ送信装置。
【請求項１１】
前記複数のＡＶソース機器から与えられる複数のＡＶデータから１つを選択する外部の入力切換装置に対して、前記第１通信部に与えるＡＶデータを選択するための入力切換用の制御信号を前記入力切換装置に前記制御部から送出することを特徴とする請求項１〜請求項９のいずれかに記載のＡＶデータ送信装置。
【請求項１２】
前記ＡＶソース機器の電源のＯＮ／ＯＦＦを、前記ＡＶソース機器へ電力供給を行うＡＣ電源の切り換えによって行うことを特徴とする請求項１〜請求項１１のいずれかに記載のＡＶデータ送信装置。
【請求項１３】
ＡＶデータの入力選択が成されたＡＶソース機器の再生動作を自動的に開始させるための赤外線信号を、前記発光部から送信することを特徴とする請求項１〜請求項１２のいずれかに記載のＡＶデータ送信装置。
【請求項１４】
前記ＡＶソース機器の入力選択に連動して、該入力選択が解除された前記ＡＶソース機器の再生の停止を行うための機能、又は、該入力選択が成された前記ＡＶソース機器の再生の再開を行うための機能を、有効とするか無効とするか選択可能であることを特徴とする請求項１〜請求項１３のいずれかに記載のＡＶデータ送信装置。
【請求項１５】
前記ＡＶソース機器の入力選択に連動して、該入力選択が解除された前記ＡＶソース機器の電源を自動的にＯＦＦするための機能、又は、該入力選択が成された前記ＡＶソース機器の自動的にＯＮするための機能を、有効とするか無効とするか選択可能であることを特徴とする請求項１〜請求項１３のいずれかに記載のＡＶデータ送信装置。
【請求項１６】
前記ＡＶソース機器のＡＶデータの入力選択が解除されてから、所定時間後に、前記ＡＶソース機器の電源が自動的にＯＦＦされるように制御することを特徴とする請求項１〜請求項１５のいずれかに記載のＡＶデータ送信装置。
【請求項１７】
複数の前記ＡＶソース機器の内の前記ＡＶデータを送信するように設定される入力機器となるＡＶソース機器に対応した前記赤外線信号のみを前記発光部が送信することを特徴とする請求項１〜請求項１６のいずれかに記載のＡＶデータ送信装置。
【請求項１８】
前記第２通信部で受信した第２無線信号より確認される制御信号が無効な信号であるとき、無効であることを示すためのエラー信号を生成し、前記第２通信部から送信することを特徴とする請求項１〜請求項１７のいずれかに記載のＡＶデータ送信装置。
【請求項１９】
請求項１〜請求項１８のいずれかに記載のＡＶデータ送信装置と、
該ＡＶデータ送信装置に前記ＡＶデータを送信する複数の前記ＡＶソース機器と、
前記ＡＶデータ送信装置から送信される前記第１無線信号を受信するＡＶデータ受信装置と、
該ＡＶデータ受信装置で受信された前記第１無線信号より得られたＡＶデータに基づいて映像又は音声の再生を行う再生装置と、
を有することを特徴とする無線通信システム。
【請求項２０】
請求項１〜請求項１７のいずれかに記載のＡＶデータ送信装置と、
該ＡＶデータ送信装置に前記ＡＶデータを送信する複数の前記ＡＶソース機器と、
前記ＡＶデータ送信装置から送信される前記第１無線信号を受信するＡＶデータ受信装置と、
該ＡＶデータ受信装置で受信された前記第１無線信号より得られたＡＶデータに基づいて映像又は音声の再生を行う再生装置と、
を有し、
前記ＡＶデータ受信装置が、
前記ＡＶデータ送信装置から送信される前記第１無線信号を受信するとともに、受信した前記第１無線信号より得られるＡＶデータを該ＡＶデータを再生する再生装置に送信する第３通信部と、
外部より与えられる前記ＡＶソース機器を制御するための制御信号を確認するとともに装置全体の制御を行う制御部と、
前記制御部で確認された制御信号に基づいて、前記第２無線信号を生成して前記ＡＶデータ送信装置に送信する第４通信部と、
を有することを特徴とする無線通信システム。
【請求項２１】
請求項１８に記載のＡＶデータ送信装置と、
該ＡＶデータ送信装置に前記ＡＶデータを送信する複数の前記ＡＶソース機器と、
前記ＡＶデータ送信装置から送信される前記第１無線信号を受信するＡＶデータ受信装置と、
該ＡＶデータ受信装置で受信された前記第１無線信号より得られたＡＶデータに基づいて映像又は音声の再生を行う再生装置と、
を有し、
前記ＡＶデータ受信装置が、
前記ＡＶデータ送信装置から送信される前記第１無線信号を受信するとともに、受信した前記第１無線信号より得られるＡＶデータを該ＡＶデータを再生する再生装置に送信する第３通信部と、
外部より与えられる前記ＡＶソース機器を制御するための制御信号を確認するとともに装置全体の制御を行う制御部と、
前記制御部で確認された制御信号に基づいて、前記第２無線信号を生成して前記ＡＶデータ送信装置に送信するとともに、前記ＡＶデータ送信装置から送信されるエラー信号を受信する第４通信部と、
を有し、
前記第４通信部でエラー信号を受信したとき、該エラー信号が前記制御部で確認され、エラーであることを示す出力を行うことを特徴とする無線通信システム。
【請求項２２】
前記ＡＶデータ受信装置が、
前記エラー信号を受信したときに、エラーであることを示す出力を行うエラー出力部を備えることを特徴とする請求項２１に記載の無線通信システム。
【請求項２３】
前記エラー出力部から音声が出力されて、エラーが示されることを特徴とする請求項２２に記載の無線通信システム。
【請求項２４】
前記ＡＶデータ受信装置が、
前記エラー信号を受信したときに、エラーであることを示す出力を行うように、前記再生装置に該エラー信号を送出することを特徴とする請求項２１〜請求項２３のいずれかに記載の無線通信システム。
【請求項２５】
前記ＡＶデータ受信装置が、
前記エラー信号を受信したときに、エラーであることを示す出力が画像又は音声で行われるように、前記第３通信部を通じて前記再生装置に該エラー信号を送出することを特徴とする請求項２４に記載の無線通信システム。
【請求項２６】
前記ＡＶデータ受信装置が、
前記ＡＶソース機器を制御するための制御信号が、赤外線信号として外部より与えられ、該赤外線信号を受信して前記制御部に前記制御信号を送出する受光部を有することを特徴とする請求項２０〜請求項２５のいずれかに記載の無線通信システム。
【請求項２７】
前記ＡＶデータ受信装置において、
前記ＡＶソース機器を制御するための制御信号が前記再生装置より与えられ、前記制御部に送出されることを特徴とする請求項２０〜請求項２５のいずれかに記載の無線通信システム。
【発明の詳細な説明】
【０００１】
【発明の属する技術分野】
本発明は、チューナ、ビデオ、ＤＶＤなどのＡＶソース機器からディスプレイなどの再生装置に対して送信するＡＶデータの送受信を行うとともに、ＡＶソース機器を制御するための制御信号の送受信を行う無線通信システム及びＡＶデータ送信装置及びＡＶデータ受信装置に関する。
【０００２】
【従来の技術】
近年、有線接続の煩雑さと無線技術の発達により、チューナ、ビデオ、ＤＶＤなどのＡＶソース機器からディスプレイなどの再生装置に対してＡＶデータを送信して、再生装置において映像や音声を再生するようなＡＶデータ用の無線通信システムが提供されている。このような無線通信システムを用いた送受信装置が、特開平９−７４４９８号公報や特開２０００−２５１４５６号公報などで提供されている。
【０００３】
この従来の無線通信システムは、図２９のような構成になる。即ち、再生装置となるディスプレイ１の映像信号入力端子及び音声信号入力端子に接続されたケーブル１１が、ＡＶデータ受信装置３０３の映像信号出力端子及び音声信号出力端子に接続される。このＡＶデータ受信装置３０３は、リモートコントローラ（以下、「リモコン」と呼ぶ）２からの赤外線信号を受信するための受光部３１と、ＡＶデータを受信するとともに制御信号を送信するためのアンテナ３２とを備える。
【０００４】
又、アンテナ４１でＡＶデータ受信装置３０３と信号の送受信を行うＡＶデータ送信装置３０４が、ＡＶソース機器５に対して制御信号となる赤外線信号を送信するための発光部４２ｘを備える。又、ＡＶデータ送信装置３０４の発光部４２ｘからの赤外線信号を受信する受光部５１を有するＡＶソース機器５の映像信号出力端子及び音声信号出力端子に接続されたケーブル５２が、ＡＶソース送信装置３０４の映像信号入力端子及び音声信号入力端子に接続される。
【０００５】
この図２９のような無線通信システムにおいて、ユーザーがリモコン２を操作してＡＶソース機器５の各種動作を指示したとき、リモコン２から送信される制御信号となる赤外線信号がＡＶデータ受信装置３０３の受光部３１で受信される。そして、受信された赤外線信号に基づいて制御信号となる無線信号が生成されると、アンテナ３２より送信され、ＡＶデータ送信装置３０４のアンテナ４１で受信される。
【０００６】
ＡＶデータ送信装置３０４では、受信した無線信号に基づいてリモコン２より送信された赤外線信号が複製され、この赤外線信号が発光部４２ｘより送信される。その後、ＡＶソース機器５が、ＡＶデータ送信装置３０４からの赤外線信号を受光部５１で受信すると、この赤外線信号による制御信号を認識し、ユーザーに指示された動作を行う。
【０００７】
又、ＡＶソース機器５が映像信号及び音声信号となるＡＶデータ信号を、ケーブル５２を通じてＡＶデータ送信装置３０４に送信すると、ＡＶデータ送信装置３０４では、このＡＶデータ信号に基づいて無線信号を生成し、アンテナ４１より送信する。このＡＶデータ信号による無線信号をアンテナ３２で受信したＡＶデータ受信装置３０３は、この無線信号を処理することでＡＶデータ信号を得て、ケーブル１１を通じてディスプレイ１に送信する。よって、ディスプレイ１では、ＡＶデータ信号の映像信号に基づいて映像が再生表示されるとともに、ＡＶデータ信号の音声信号に基づいて音声が再生される。
【０００８】
【発明が解決しようとする課題】
図２９のような無線通信システムを利用する際、ＡＶデータ送信装置３０４に備えられた発光部４２ｘには、赤外線を発光して赤外線信号を生成するための赤外線発光素子となるＬＥＤ（Light Emitting Diode）が１つだけ設けられている。このＬＥＤはある程度の指向性を持つとともに、一部の輝度を高くするためにレンズなどが設けられるため、その照射範囲が図３０のＡのように狭くなる。
【０００９】
よって、図２９のような無線通信システムのように、１台のＡＶソース機器に対するシステムである場合においては、１つのＬＥＤで構成された発光部を備えたＡＶデータ送信装置でも十分機能させることができる。しかしながら、複数台のＡＶソース機器に対してＡＶデータ送信装置から制御信号となる赤外線信号を送信する際、その照射範囲が狭いために、一部のＡＶソース機器のみしかＡＶデータ送信装置からの赤外線信号を受信することができず、この無線通信システムを利用して全てのＡＶソース機器を制御することができない。
【００１０】
即ち、図３１のように、ＡＶソース機器５ａ〜５ｄに対して、ＡＶデータ送信装置３０４の発光部４２ｘより赤外線信号を送信する際、発光部４２ｘから照射される赤外線の照射範囲はＡとなる。よって、ＡＶソース機器５ａ〜５ｄのそれぞれに設けられた受光部５１ａ〜５１ｄのうち、受光部５１ｂ，５１ｃのみが照射範囲Ａ内に存在することとなり、ＡＶソース機器５ａ，５ｄについては制御を行うことができない。
【００１１】
【課題を解決するための手段】
上記目的を達成するために、本発明のＡＶデータ送信装置は、ＡＶソース機器より与えられる映像信号及び音声信号のうち少なくとも１つの信号となるＡＶデータを第１無線信号として送信する第１通信部と、前記ＡＶソース機器を制御するための制御信号である第２無線信号を受信する第２通信部と、前記第２通信部で受信された前記第２無線信号より前記ＡＶソース機器への制御信号の確認を行うとともに装置全体の制御を行う制御部と、該制御部で確認された制御信号に基づいて赤外線信号を生成して送信する発光部と、を有するＡＶデータ送信装置において、前記発光部が複数の前記ＡＶソース機器それぞれに対して赤外線信号を照射可能であるとともに、前記第１通信部に与えるＡＶデータとして、前記複数のＡＶソース機器から与えられる複数のＡＶデータから１つを選択するとき、ＡＶデータの入力選択が解除されたＡＶソース機器を自動的に電源ＯＦＦさせるための赤外線信号、又は、該ＡＶソース機器の再生動作を自動的に停止させるための赤外線信号を、前記発光部から送信することを特徴とする。
【００１２】
このような問題を鑑みて、本発明は、ＡＶデータ信号を再生する再生装置側からＡＶデータを生成する複数のＡＶソース機器を遠隔操作することのできる無線通信システムを提供することを目的とする。又、このような無線通信システムにおいて、再生装置とＡＶソース機器との間で制御信号とＡＶデータとの相互通信を行うことができるＡＶデータ送信装置及びＡＶデータ受信装置を提供することを目的とする。
【００１３】
【課題を解決するための手段】
上記目的を達成するために、本発明のＡＶデータ送信装置は、ＡＶソース機器より与えられる映像信号及び音声信号のうち少なくとも１つの信号となるＡＶデータを第１無線信号として送信する第１通信部と、前記ＡＶソース機器を制御するための制御信号である第２無線信号を受信する第２通信部と、前記第２通信部で受信された前記第２無線信号より前記ＡＶソース機器への制御信号の確認を行うとともに装置全体の制御を行う制御部と、該制御部で確認された制御信号に基づいて赤外線信号を生成して送信する発光部と、を有するＡＶデータ送信装置において、前記発光部が複数の前記ＡＶソース機器それぞれに対して赤外線信号が照射可能であるとともに、前記第１通信部に与えるＡＶデータとして、前記複数のＡＶソース機器から与えられる複数のＡＶデータから１つを選択するとき、ＡＶデータの入力選択が解除されたＡＶソース機器の再生動作を自動的に停止させるための赤外線信号を、前記発光部から送信することを特徴とする。
【００１４】
このようなＡＶデータ送信装置において、前記発光部が複数の赤外線発光素子によって構成されることによって、指向性が広くなるようにしても構わない。このとき、複数の赤外線発光素子を略円錐状に配置するとともに、その発光部が円状で密接した状態となるように配置することによって、発光部の指向性を広くすることができる。
【００１５】
又、本発明のＡＶデータ送信装置は、ＡＶソース機器より与えられる映像信号及び音声信号のうち少なくとも１つの信号となるＡＶデータを第１無線信号として送信する第１通信部と、前記ＡＶソース機器を制御するための制御信号である第２無線信号を受信する第２通信部と、前記第２通信部で受信された前記第２無線信号より前記ＡＶソース機器への制御信号の確認を行うとともに装置全体の制御を行う制御部と、該制御部で確認された制御信号に基づいて赤外線信号を生成して送信する発光部と、を有するＡＶデータ送信装置において、前記発光部が複数の前記ＡＶソース機器に対して赤外線信号が照射可能となるように、前記発光部を複数備えることを特徴とする。
【００１６】
このようなＡＶデータ送信装置において、複数の前記ＡＶソース機器それぞれに対して赤外線信号を照射するように、照射する前記ＡＶソース機器と同数の前記発光部を備え、前記各発光部が単一のＡＶソース機器にのみ赤外線の照射を可能とするものとしても構わない。このとき、前記ＡＶソース機器の赤外線信号を受光する受光部に対面するように、前記各発光部が設置される。
【００１７】
又、このとき、前記発光部が、前記ＡＶソース機器における赤外線信号を受信する受光部に対して赤外線信号を照射する赤外線発光素子と、該赤外線発光素子から前記受光部への方向以外の赤外線の照射を防ぐための遮蔽部と、を有するものとしても構わない。例えば、前記遮蔽部が、前記ＡＶソース機器の赤外線信号を受光する受光部に対面する面以外の前記赤外線発光素子の周囲の面を覆うように設けられるようにしても構わない。更に、前記遮蔽部が脱着可能なものとしても構わない。
【００１８】
更に、前記遮蔽部の一部に外部からの赤外線信号が透過可能な赤外線通過可能領域を設けるとともに、該赤外線透過可能領域を通じて外部からの赤外線信号を前記ＡＶソース機器の受光部に照射可能とするようにして、前記ＡＶソース機器が前記ＡＶデータ送信装置以外のリモートコントローラなどの操作装置によって制御されるようにしても構わない。このとき、前記赤外線通過可能領域が、前記遮蔽部の前記受光部に対面する領域に設けられるようにしても構わない。更に、前記赤外線通過可能領域が脱着可能なものとしても構わない。
【００１９】
上述の複数の発光部を有するＡＶデータ送信装置において、複数の前記発光部のうち、赤外線信号の送信動作を行う発光部を選択するとともに、前記制御部で確認された制御信号を選択した発光部に与える発光部切換部を設けても構わない。このとき、複数の発光部が選択されて、ほぼ同一時間内もしくは一定期間内に、複数の発光部が赤外線信号の送信動作を行うようにしても構わない。
【００２０】
上述の各ＡＶデータ送信装置において、前記複数のＡＶソース機器から与えられる複数のＡＶデータから１つを選択し、前記第１通信部に与える入力切換部を有するようにしても構わないし、前記複数のＡＶソース機器から与えられる複数のＡＶデータから１つを選択する外部の入力切換装置に対して、前記第１通信部に与えるＡＶデータを選択するための入力切換用の制御信号を前記入力切換装置に前記制御部から送出するようにしても構わない。
【００２１】
このとき、前記入力切換部又は前記入力切換装置によって、ＡＶデータの入力選択が解除されたＡＶソース機器を自動的に電源ＯＦＦさせるための赤外線信号、又は、該ＡＶソース機器の再生動作を自動的に停止させるための赤外線信号を、前記発光部から送信するようにしても構わない。そして、このとき、前記ＡＶソース機器の電源のＯＮ／ＯＦＦを、前記ＡＶソース機器へ電力供給を行うＡＣ電源の切り換えによって行うようにしても構わない。
【００２２】
又、前記入力切換部又は前記入力切換装置によって、ＡＶデータの入力選択が成されたＡＶソース機器の再生動作を自動的に開始させるための赤外線信号を、前記発光部から送信するようにしても構わない。又、前記ＡＶソース機器の入力選択に連動して、該入力選択が解除された前記ＡＶソース機器の再生の停止を行うための機能、又は、該入力選択が成された前記ＡＶソース機器の再生の再開を行うための機能を、有効とするか無効とするか選択可能であるようにしても構わない。更に、前記ＡＶソース機器の入力選択に連動して、該入力選択が解除された前記ＡＶソース機器の電源を自動的にＯＦＦするための機能、又は、該入力選択が成された前記ＡＶソース機器の自動的にＯＮするための機能を、有効とするか無効とするか選択可能であるようにしても構わない。
【００２３】
上述のＡＶデータ送信装置において、前記ＡＶソース機器のＡＶデータの入力選択が前記入力切換部又は前記入力切換装置によって解除されてから、所定時間後に、前記ＡＶソース機器の電源が自動的にＯＦＦされるように制御するような、タイマ機能を設けるようにしても構わない。又、この所定時間が設定可能であるものとしても構わない。
【００２４】
又、本発明のＡＶデータ受信装置は、上述のいずれかのＡＶデータ送信装置から送信される前記第１無線信号を受信するとともに、受信した前記第１無線信号より得られるＡＶデータを該ＡＶデータを再生する再生装置に送信する第３通信部と、外部より与えられる前記ＡＶソース機器を制御するための制御信号を確認するとともに装置全体の制御を行う制御部と、前記制御部で確認された制御信号に基づいて、前記第２無線信号を生成して前記ＡＶデータ送信装置に送信する第４通信部と、を有することを特徴とする。
【００２５】
このようなＡＶデータ受信装置において、前記ＡＶソース機器を制御するための制御信号が、赤外線信号として外部より与えられ、該赤外線信号を受信して前記制御部に前記制御信号を送出する受光部を設けても構わないし、前記ＡＶソース機器を制御するための制御信号が前記再生装置より与えられ、前記制御部に送出されるようにしても構わない。
【００２６】
上述のＡＶデータ送信装置において、前記第２通信部で受信した第２無線信号より確認される制御信号が無効な信号であるとき、無効であることを示すためのエラー信号を生成し、前記第２通信部から送信するようにしても構わない。又、入力切換されたＡＶデータを送信する前記ＡＶソース機器を示すデータ信号、又は、前記ＡＶソース機器の動作状態を示すデータ信号などを、前記第２通信部から送信するようにしても構わない。
【００２７】
又、本発明のＡＶデータ受信装置は、該ＡＶデータ送信装置から送信される前記第１無線信号を受信するとともに、受信した前記第１無線信号より得られるＡＶデータを該ＡＶデータを再生する再生装置に送信する第３通信部と、外部より与えられる前記ＡＶソース機器を制御するための制御信号を確認するとともに装置全体の制御を行う制御部と、前記制御部で確認された制御信号に基づいて、前記第２無線信号を生成して前記ＡＶデータ送信装置に送信するとともに、前記ＡＶデータ送信装置から送信されるエラー信号を受信する第４通信部と、を有し、前記第４通信部でエラー信号を受信したとき、該エラー信号が前記制御部で確認され、エラーであることを示す出力を行うように、前記再生装置に該エラー信号を送出することを特徴とする。
【００２８】
このようなＡＶデータ受信装置において、前記ＡＶソース機器を制御するための制御信号が、赤外線信号として外部より与えられ、該赤外線信号を受信して前記制御部に前記制御信号を送出する受光部を設けても構わないし、前記ＡＶソース機器を制御するための制御信号が前記再生装置より与えられ、前記制御部に送出されるようにしても構わない。
【００２９】
本発明の無線通信システムは、上述のいずれかのＡＶデータ送信装置と、該ＡＶデータ送信装置に前記ＡＶデータを送信する複数の前記ＡＶソース機器と、上述のいずれかのＡＶデータ受信装置と、該ＡＶデータ受信装置で受信された前記第１無線信号より得られたＡＶデータに基づいて映像又は音声の再生を行う再生装置と、を有することを特徴とする。
【００３０】
【発明の実施の形態】
＜第１の実施形態＞
本発明の第１の実施形態について、図面を参照して説明する。図１は、本実施形態の無線通信システムの構成を示す外観図である。又、図２は、本実施形態の無線通信システムを構成する各装置の内部構成を示すブロック図である。尚、図１において、図２９の無線通信システムと同一の部分については、同一の符号を付して、その詳細な説明は省略する。
【００３１】
図１の無線通信システムは、ディスプレイ１と、リモコン２と、ＡＶデータ受信装置３と、ＡＶデータ送信装置４と、ＡＶソース機器５ａ〜５ｄとから構成される。このとき、ＡＶデータ受信装置３は、図２９の無線通信システムにおけるＡＶデータ受信装置３０３と同様、受光部３１とアンテナ３２とを備えるとともに、ケーブル１１によってディスプレイ１と接続される。又、ＡＶデータ送信装置４は、アンテナ４１と発光部４２とを備えるとともに、ケーブル５２ａ〜５２ｄそれぞれによってＡＶソース機器５ａ〜５ｄと接続される。
【００３２】
このような無線通信システムにおいて、図２のように、ＡＶデータ受信装置３は、受光部３１及びアンテナ３２と、アンテナ３２で受信した映像信号及び音声信号となるＡＶデータ信号に基づく無線信号を復調するとともにデータ伸長などして復号化することによってＡＶデータ信号とするＡＶデータ受信部３３と、受光部３１で受信した赤外線信号より指示された制御動作を確認するとともに装置全体を制御する制御部３４と、制御部３４で確認された制御動作に基づいて符号化するとともに変調することによって制御信号となる無線信号を生成してアンテナ３２を介して送信するデータ通信部３５とを備える。
【００３３】
又、ＡＶデータ送信装置４は、アンテナ４１及び発光部４２と、ＡＶソース機器５ａ〜５ｄより送信されるＡＶデータ信号を切り換えるＡＶ入力切換部４３と、ＡＶ入力切換部４３から与えられるＡＶデータ信号をデータ圧縮などして符号化するとともに変調することによって無線信号を生成してアンテナ４１を介して送信するＡＶデータ送信部４４と、アンテナ４１で受信した制御信号となる無線信号を復調するとともに復号化するデータ通信部４５と、データ通信部４５で得られた制御信号より制御動作を確認するとともに装置全体を制御する制御部４６とを備える。
【００３４】
このとき、ＡＶデータ送信装置４は、制御部４６で確認した制御信号に基づいて発光部４２内の赤外線発光素子を発光させることによって、発光部４２より赤外線信号を送信させる。又、発光部４２内の赤外線発光素子となるＬＥＤ４２ｙは、図３のように複数設けられる。即ち、複数のＬＥＤ４２ｙを略円錐状に配置するとともに、ＬＥＤ４２ｙの発光部が円状で密接した状態となるように配置することによって、発光部の指向性を広くすることができる。よって、図４のように、発光部４２から照射される赤外線の照射範囲がＢのように広くなり、この照射範囲Ｂ内に、ＡＶソース機器５ａ〜５ｄそれぞれの受光部５１ａ〜５１ｄ全てを存在させることができる。このように構成される無線通信システムにおける各装置の動作について、図面を参照して説明する。
【００３５】
（リモコン２の各キーに対する機能の割り当て）
リモコン２によって、ディスプレイ１及びＡＶデータ送信装置４及びＡＶソース機器５ａ〜５ｄのそれぞれの機能に対して操作することができる。図５に、このリモコン２の各キーに対する機能である操作コードを表す表を示す。図５のように、リモコン２には、ＴＶ電源キー、音量ＵＰキー、音量ＤＯＷＮキー、電源キー、再生キー、一時停止キー、停止キー、早送りキー、巻き戻しキー、録画キー、スロー再生キー、頭出し用キー（次、前）、矢印キー（↑、↓、←、→）、ナンバーキー（１〜１２）、入力切換キー、メニューキー（Ａ〜Ｄ）を有する。
【００３６】
今、ＡＶソース機器５ａ，５ｂ，５ｃ，５ｄがそれぞれ、ＤＶＤ、ＶＴＲ１、ＶＴＲ２、チューナであるとすると、ディスプレイ１及びＡＶソース機器５ａ〜５ｄに対する操作コードが、図５に示す表のようになる。図５によると、ＴＶ電源キー、音量ＵＰキー、音量ＤＯＷＮキーが、ディスプレイ１の電源及び音量を操作するための操作コードが割り当てられ、他の装置を操作することができない。
【００３７】
逆に、電源キー、再生キー、一時停止キー、停止キー、早送りキー、巻き戻しキー、録画キー、スロー再生キー、頭出し用キー、矢印キー、ナンバーキー、及びメニューキーは、ＡＶソース機器５ａ〜５ｄそれぞれに対する操作コードが割り当てられ、ディスプレイ１を操作することができない。又、入力切換キーは、不図示であるが、ＡＶデータ送信装置４に対して、ＡＶデータを取得するＡＶソース機器５ａ〜５ｄを切り換えるための操作コードが割り当てられる。
【００３８】
よって、リモコン２のＴＶ電源キーが操作されると、ディスプレイ１の電源がＯＮ／ＯＦＦし、又、音量ＵＰキー、音量ＤＯＷＮキーが操作されると、ディスプレイ１の音量が変化する。又、リモコン２の入力切換キーが操作されると、ＡＶデータ送信装置４で選択されるＡＶデータを出力するＡＶソース機器が、操作される度に、５ａ→５ｂ→５ｃ→５ｄ→５ａの順に切り替わる。
【００３９】
更に、リモコン２の電源キー、再生キー、一時停止キー、停止キー、早送りキー、巻き戻しキー、録画キー、スロー再生キー、頭出し用キー、矢印キー、ナンバーキー、及びメニューキーが操作されると、ＡＶデータ受信装置３より、操作されたキーを示す制御信号を無線信号としてＡＶデータ送信装置４に送信する。この制御信号となる無線信号を受信したＡＶデータ送信装置４は、現在、選択しているＡＶデータを出力するＡＶソース機器に応じて、操作コードを認識し、それに応じた赤外線信号を生成して送信する。
【００４０】
（ＡＶデータ受信装置３の制御信号の処理動作）
まず、ＡＶデータ受信装置３の動作について説明する。ＡＶデータ受信装置３は、図６に示すフローチャートに従って動作を行う。電源が投入されるなどして動作を開始すると、受光部３１で赤外線信号を受信したか否かが確認される（ＳＴＥＰ１）。このとき、赤外線信号の受信が確認されると（Ｙｅｓ）、制御部３４において、受信した赤外線信号がディスプレイ１を操作するための信号であるか否かを確認する（ＳＴＥＰ２）。
【００４１】
そして、この赤外線信号がディスプレイ１操作用の信号でないとき（Ｎｏ）、制御部３４において、受信した赤外線信号より指示された制御信号を確認し、データ通信部３５を制御して、この制御信号に基づいて非同期データ通信用の無線信号を生成して、アンテナ３２を介して送信する（ＳＴＥＰ３）。即ち、リモコン２において、図５のＴＶ電源キー、音量ＵＰキー、音量ＤＯＷＮキー以外のキーが操作されたとき、受信した赤外線信号より、操作されたキーに対応する制御信号を確認し、この制御信号による無線信号を生成して送信する。
【００４２】
ＳＴＥＰ１において、赤外線信号の受信が確認されなかったとき（Ｎｏ）、又、ＳＴＥＰ２において、受信した赤外線信号がディスプレイ１操作用の信号であったとき（Ｙｅｓ）、又、ＳＴＥＰ３における制御信号となる無線信号の送信動作が終了したとき、電源ＯＦＦするように操作されたか否かが確認される（ＳＴＥＰ４）。このとき、電源ＯＦＦするように操作された場合（Ｙｅｓ）、動作を終了し、又、電源ＯＦＦの指示がない場合は（Ｎｏ）、再び、ＳＴＥＰ１からの動作が行われる。
【００４３】
（ＡＶデータ送信装置４の制御信号の処理動作）
１．全体動作
次に、ＡＶデータ送信装置４の動作について説明する。ＡＶデータ送信装置４は、図７に示すフローチャートに従って動作を行う。電源が投入されるなどして動作を開始すると、アンテナ４１で制御信号となる無線信号を受信したか否かが確認される（ＳＴＥＰ１１）。このとき、制御信号となる無線信号がアンテナ４１で受信され、データ通信部４５で復調された後に復号化されると（Ｙｅｓ）、制御部４６において、データ通信部４５で復号化されて得られた制御信号より、入力されるＡＶデータ信号の入力切換が行われるか確認される（ＳＴＥＰ１２）。
【００４４】
そして、リモコン２において、図５のＴＶ電源キー、音量ＵＰキー、音量ＤＯＷＮキー、入力切換キー以外のキーが操作され、制御信号がＡＶソース機器の操作を行うためのものであるとき（Ｎｏ）、後述する図８又は図９のフローチャートに示すＡＶ機器操作動作を行う（ＳＴＥＰ１３）。又、リモコン２において、図５の入力切換キーが操作され、制御信号がＡＶデータ信号の切り換えを要求する場合は（Ｙｅｓ）、後述する図１０のフローチャートに示す入力切換動作を行う（ＳＴＥＰ１４）。
【００４５】
ＳＴＥＰ１１において、制御信号となる無線信号が受信されなかったとき（Ｎｏ）、又、ＳＴＥＰ１３のＡＶ機器操作動作又はＳＴＥＰ１４の入力切換動作が終了したとき、電源ＯＦＦするように操作されたか否かが確認される（ＳＴＥＰ１５）。このとき、電源ＯＦＦするように操作された場合（Ｙｅｓ）、動作を終了し、又、電源ＯＦＦの指示がない場合は（Ｎｏ）、再び、ＳＴＥＰ１１からの動作が行われる。
【００４６】
２．ＡＶ機器操作動作の第１例
このとき、ＳＴＥＰ１３におけるＡＶ機器操作動作が行われる場合、図８に示すフローチャートに従って動作する。まず、制御部４６において、ＡＶ入力切換部４３でＡＶデータ信号を入力するように設定されたＡＶソース機器がＡＶソース機器５ａ〜５ｄのいずれであるか確認される（ＳＴＥＰ２１）。このとき、ＡＶデータ信号を入力するように設定されたＡＶソース機器は、入力機器番号より確認される。
【００４７】
即ち、入力機器番号が５ａであるときはＡＶソース機器５ａからのＡＶデータ信号を、入力機器番号が５ｂであるときはＡＶソース機器５ｂからのＡＶデータ信号を、入力機器番号が５ｃであるときはＡＶソース機器５ｃからのＡＶデータ信号を、入力機器番号が５ｄであるときはＡＶソース機器５ｄからのＡＶデータ信号を、ＡＶ入力切換部４３で選択しＡＶデータ送信部４４に与える。
【００４８】
このように、ＳＴＥＰ２１で入力機器番号が確認されると、制御部４６において、確認された入力機器番号とデータ通信部４５で得られた制御信号とから、ユーザーが指示した制御動作に関するデータである操作コードが確認される（ＳＴＥＰ２２）。即ち、リモコン２において、図５のＴＶ電源キー、音量ＵＰキー、音量ＤＯＷＮキー、入力切換キー以外のキーが操作されたとき、制御部４６において、入力機器番号より操作するＡＶソース機器を確認するとともに、制御信号より操作されたキーを確認する。そして、制御信号より確認されたリモコン２のキーにおける、入力機器番号より確認されたＡＶソース機器に対する操作コードを確認する。
【００４９】
そして、この操作コードの確認を行った後、その操作コードが有効であるか否かの判定を行う（ＳＴＥＰ２３）。このとき、有効であれば（Ｙｅｓ）、発光部４２を発光させて確認された操作コードに応じた赤外線信号を送信するとともに（ＳＴＥＰ２４）、現在ＡＶデータ信号を入力しているＡＶソース機器の動作状態を制御部４６内のメモリなどに記録する（ＳＴＥＰ２５）。ＳＴＥＰ２３において、制御部４６で確認された操作コードが無効であったとき（Ｎｏ）、又は、ＳＴＥＰ２５におけるＡＶソース機器の動作状態を記憶すると、ＡＶ機器操作動作を終了して、ＳＴＥＰ１５に移行する。
【００５０】
このように、ＡＶ機器操作動作する際において、ＳＴＥＰ２１において入力機器番号を確認するとき、制御部４６がＡＶ入力切換部４３の状態を確認することによって入力機器番号が確認されるようにしても構わないし、又は、制御部４６がＡＶ入力切換部４３の選択するＡＶデータ信号の切り換えを制御するたびに、不図示のメモリなどに入力機器番号を記憶し、記憶した入力機器番号が確認されるようにしても構わない。
【００５１】
３．ＡＶ機器操作動作の第２例
又、ＳＴＥＰ１３におけるＡＶ機器操作動作が行われる場合、上述のような図８のフローチャートに応じた動作例以外に、図９のフローチャートに従った動作を行っても構わない。尚、図９において、図８と同一のステップについては、同一の符号を付すものとして、その詳細な説明は省略する。
【００５２】
ＳＴＥＰ２１で入力機器番号を確認した後、ＳＴＥＰ２２で、ユーザーが指示した操作コードを確認する。そして、ＳＴＥＰ２３で、この確認した操作コードが有効であるか否かの判定を行う。このとき、有効であれば（Ｙｅｓ）、第１例と同様に、ＳＴＥＰ２４で赤外線信号を送信した後、ＳＴＥＰ２５でＡＶソース機器の動作状態を記録する。
【００５３】
逆に、ＳＴＥＰ２３で、操作コードが無効であると判定された場合（Ｎｏ）、無効であることを示すためのエラー信号を制御部４６で生成してデータ通信部４５に与え、データ通信部４５でこのエラー信号を符号化した後に変調してアンテナ４１を介して送信する（ＳＴＥＰ２６）。このように、ＳＴＥＰ２５及びＳＴＥＰ２６の各動作が終了すると、ＡＶ機器操作動作を終了して、ＳＴＥＰ１５に移行する。
【００５４】
このエラー信号となる無線信号がＡＶデータ受信装置３のアンテナ３２で受信されると、ＡＶデータ受信装置３において、データ通信部３５で復調された後、復号化されてエラー信号が得られる。そして、制御部３４において、このデータ通信部３５で得られたエラー信号が確認されると、不図示の音声出力部などからエラーを示すビープ音を出力するようにしても構わないし、ＡＶデータ受信部３３にエラー表示するための映像信号を与えて、ディスプレイ１に送信し、ディスプレイ１の画面上にエラー表示を行うようにしても構わない。
【００５５】
４．入力切換動作
又、ＳＴＥＰ１４における入力切換動作が行われる場合、図１０に示すフローチャートに従って動作する。まず、現在、ＡＶデータ信号をＡＶデータ送信装置４に対して出力しているＡＶソース機器のＡＶデータ信号の出力動作を停止させるための連動機能が有効となっているか否かが確認される（ＳＴＥＰ３１）。この連動機能の有効及び無効は、ＡＶデータ送信装置４において切り換えられ、不図示のメモリに記録されているものとする。
【００５６】
このとき、連動機能が有効と設定されている場合（Ｙｅｓ）、後述する図１１のフローチャートに示すＡＶ機器停止制御動作を行った後（ＳＴＥＰ３２）、後述する図１２のフローチャートに示す入力切換処理動作を行う（ＳＴＥＰ３３）。そして、ＳＴＥＰ３３の入力切換処理動作を行った後、後述する図１３のフローチャートに示すＡＶ機器再開制御動作を行う（ＳＴＥＰ３４）。
【００５７】
又、連動機能が無効と設定されている場合（Ｎｏ）、後述する図１２のフローチャートに示す入力切換処理動作を行う（ＳＴＥＰ３５）。このように、ＳＴＥＰ３４におけるＡＶ機器再開制御動作及びＳＴＥＰ３５における入力切換処理動作が終了すると、入力切換動作を終了して、ＳＴＥＰ１５に移行する。
【００５８】
４−１  ＡＶ機器停止制御動作
ＳＴＥＰ３２に移行したときに成されるＡＶ機器停止制御動作は、図１１のフローチャートに従って行われる。まず、制御部４６において、入力機器番号が確認される（ＳＴＥＰ１０１）。そして、この入力機器番号より確認されたＡＶソース機器の動作状態が確認される（ＳＴＥＰ１０２）。この確認される動作状態は、図８又は図９のフローチャートにおけるＳＴＥＰ２５でのＡＶソース機器の動作状態の記録によって制御部４６内のメモリなどに記録されたものを読み出すことによって確認される。
【００５９】
その後、入力機器番号より確認されたＡＶソース機器の電源をＯＦＦ制御する連動機能である自動電源ＯＦＦ機能を有効としているか否かを確認する（ＳＴＥＰ１０３）。このとき、自動電源ＯＦＦ機能を有効としている場合（Ｙｅｓ）、ＳＴＥＰ１０２で確認された動作状態より電源がＯＮであるか否かが確認される（ＳＴＥＰ１０４）。
【００６０】
今、電源がＯＮである場合（Ｙｅｓ）、操作データを電源ＯＦＦするための操作データとして、図８又は図９に示すフローチャートにおけるＳＴＥＰ２４及びＳＴＥＰ２５と同様の動作を行う（ＳＴＥＰ１０５）。即ち、ＳＴＥＰ１０１で確認された入力機器番号に応じたＡＶソース機器が電源ＯＦＦとなるように赤外線信号を発光部４２より送信するとともに、制御部４６内のメモリなどに動作状態が電源ＯＦＦとなったことを記録する。
【００６１】
又、ＳＴＥＰ１０３で自動電源ＯＦＦ機能が無効である場合（Ｎｏ）、ＡＶソース機器の再生動作の停止を制御する連動機能である自動停止機能を有効としているか否かを確認する（ＳＴＥＰ１０６）。このとき、自動停止機能を有効としている場合（Ｙｅｓ）、ＳＴＥＰ１０２で確認された動作状態より再生動作中であるか否かが確認される（ＳＴＥＰ１０７）。尚、再生動作には、早送り再生や巻き戻し再生なども含まれる。
【００６２】
今、再生動作を行っている場合（Ｙｅｓ）、操作データを再生動作を停止するための操作データとして、図８又は図９に示すフローチャートにおけるＳＴＥＰ２４及びＳＴＥＰ２５と同様の動作を行う（ＳＴＥＰ１０８）。即ち、ＳＴＥＰ１０１で確認された入力機器番号に応じたＡＶソース機器が再生動作を停止するように赤外線信号を発光部４２より送信するとともに、制御部４６内のメモリなどに動作状態が停止状態となったことを記録する。
【００６３】
又、ＳＴＥＰ１０６で自動停止機能が無効である場合（Ｎｏ）、ＡＶソース機器の一時停止動作の開始を制御する連動機能である自動一時停止機能を有効としているか否かを確認する（ＳＴＥＰ１０９）。このとき、自動一時停止機能を有効としている場合（Ｙｅｓ）、ＳＴＥＰ１０２で確認された動作状態より再生動作中であるか否かが確認される（ＳＴＥＰ１１０）。
【００６４】
今、再生動作を行っている場合（Ｙｅｓ）、操作データを一時停止するための操作データとして、図８又は図９に示すフローチャートにおけるＳＴＥＰ２４及びＳＴＥＰ２５と同様の動作を行う（ＳＴＥＰ１１１）。即ち、ＳＴＥＰ１０１で確認された入力機器番号に応じたＡＶソース機器が一時停止するように赤外線信号を発光部４２より送信するとともに、制御部４６内のメモリなどに動作状態が一時停止状態となったことを記録する。
【００６５】
ＳＴＥＰ１０５，１０８，１１１の動作が終了したとき、又は、ＳＴＥＰ１０４で電源がＯＦＦであるとき（Ｎｏ）、又は、ＳＴＥＰ１０７，１１０で再生動作中でないとき（Ｎｏ）、又は、ＳＴＥＰ１０９で自動一時停止機能が無効であるとき（Ｎｏ）、このＡＶ機器停止制御動作を終了する。
【００６６】
４−２  入力切換処理動作
ＳＴＥＰ３３又はＳＴＥＰ３５に移行したときに成される入力切換処理動作は、図１２のフローチャートに従って行われる。まず、制御部４６において、記録された入力機器番号より、現在、ＡＶ入力切換部４３が選択しているＡＶデータ信号がＡＶソース機器５ｃから送信された信号であるか否かが確認される（ＳＴＥＰ１５１）。このとき、入力機器番号が５ｃであり、ＡＶソース機器５ｃからのＡＶデータ信号を選択していることが確認されると（Ｙｅｓ）、ＡＶ入力切換部４３で選択するＡＶデータ信号をＡＶソース機器５ｄからの信号に切り換えるとともに、入力機器番号を５ｄとして記録する（ＳＴＥＰ１５２）。
【００６７】
又、ＳＴＥＰ１５１において、入力機器番号が５ｃでないとき（Ｎｏ）、ＡＶ入力切換部４３が選択しているＡＶデータ信号がＡＶソース機器５ｂから送信された信号であるか否かが確認される（ＳＴＥＰ１５３）。このとき、入力機器番号が５ｂであることが確認されると（Ｙｅｓ）、ＡＶ入力切換部４３で選択するＡＶデータ信号をＡＶソース機器５ｃからの信号に切り換えるとともに、入力機器番号を５ｃとして記録する（ＳＴＥＰ１５４）。
【００６８】
又、ＳＴＥＰ１５３において、入力機器番号が５ｂでないとき（Ｎｏ）、ＡＶ入力切換部４３が選択しているＡＶデータ信号がＡＶソース機器５ａから送信された信号であるか否かが確認される（ＳＴＥＰ１５５）。このとき、入力機器番号が５ａであることが確認されると（Ｙｅｓ）、ＡＶ入力切換部４３で選択するＡＶデータ信号をＡＶソース機器５ｂからの信号に切り換えるとともに、入力機器番号を５ｂとして記録する（ＳＴＥＰ１５６）。
【００６９】
又、ＳＴＥＰ１５３において、入力機器番号が５ａでないとき（Ｎｏ）、ＡＶ入力切換部４３で選択するＡＶデータ信号をＡＶソース機器５ａからの信号に切り換えるとともに、入力機器番号を５ａとして記録する（ＳＴＥＰ１５７）。即ち、ＳＴＥＰ１５１，１５３，１５５全てにおいてＮｏとなるため、入力機器番号が５ｄであることが確認されることとなり、入力機器番号を５ａに切り換える。そして、ＳＴＥＰ１５２，１５４，１５６，１５７の切り換え動作を終了すると、入力切換処理動作を終了する。
【００７０】
このように入力切換処理動作が行われるため、ＡＶデータ信号の入力を切り換えるように指示されると、ＡＶ入力切換部４３によって選択されるＡＶデータ信号を出力するＡＶソース機器が、５ａ→５ｂ→５ｃ→５ｄ→５ａ…のように、巡回的に切り換えられる。
【００７１】
尚、本実施形態では、ＡＶソース機器５ａ〜５ｄのように４台の場合について述べたが、ＡＶソース機器がｎ台の場合も同様に、入力機器番号の確認されるステップがｎ−１とされる。そして、入力機器番号が一致した場合、そのステップで確認された入力機器番号の次の入力機器番号に設定することで、ＡＶ入力切換部４３によって選択されるＡＶデータ信号を出力するＡＶソース機器が、巡回的に切り換えられる。
【００７２】
４−３  ＡＶ機器再開制御動作
ＳＴＥＰ３４に移行したときに成されるＡＶ機器再開制御動作は、図１３のフローチャートに従って行われる。ＡＶ機器停止制御動作のＳＴＥＰ１０１，１０２における動作と同様、まず、制御部４６において、入力機器番号が確認された後（ＳＴＥＰ２０１）、この入力機器番号より確認されたＡＶソース機器の動作状態が確認される（ＳＴＥＰ２０２）。よって、ＳＴＥＰ２０１において、ＳＴＥＰ３３で切り換えられた入力機器番号が確認される。
【００７３】
その後、ＳＴＥＰ２０２で確認された動作状態よりＡＶソース機器が一時停止中であるか否かが確認される（ＳＴＥＰ２０３）。このとき、一時停止中であることが確認されると（Ｙｅｓ）、ＡＶソース機器の一時停止動作の解除を制御する連動機能である自動一時停止解除機能を有効としているか否かを確認する（ＳＴＥＰ２０４）。
【００７４】
今、自動一時停止解除機能を有効としている場合（Ｙｅｓ）、操作データを一時停止を解除するための操作データとして、図８又は図９に示すフローチャートにおけるＳＴＥＰ２４及びＳＴＥＰ２５と同様の動作を行う（ＳＴＥＰ２０５）。即ち、ＳＴＥＰ２０１で確認された入力機器番号に応じたＡＶソース機器が一時停止を解除して再生動作を行うように赤外線信号を発光部４２より送信するとともに、制御部４６内のメモリなどに動作状態が再生状態となったことを記録する。
【００７５】
又、ＳＴＥＰ２０３で一時停止状態でない場合（Ｎｏ）、ＳＴＥＰ２０２で確認された動作状態よりＡＶソース機器が停止中であるか否かが確認される（ＳＴＥＰ２０６）。このとき、停止中であることが確認されると（Ｙｅｓ）、ＡＶソース機器の再生動作の停止を制御する連動機能である自動再生機能を有効としているか否かを確認する（ＳＴＥＰ２０７）。
【００７６】
今、自動再生機能を有効としている場合（Ｙｅｓ）、操作データを再生動作を行うための操作データとして、図８又は図９に示すフローチャートにおけるＳＴＥＰ２４及びＳＴＥＰ２５と同様の動作を行う（ＳＴＥＰ２０８）。即ち、ＳＴＥＰ２０１で確認された入力機器番号に応じたＡＶソース機器が再生動作を行うように赤外線信号を発光部４２より送信するとともに、制御部４６内のメモリなどに動作状態が再生状態となったことを記録する。
【００７７】
又、ＳＴＥＰ２０６で停止状態でない場合（Ｎｏ）、ＳＴＥＰ２０２で確認された動作状態よりＡＶソース機器が電源ＯＦＦであるか否かが確認される（ＳＴＥＰ２０９）。このとき、電源ＯＦＦであることが確認されると（Ｙｅｓ）、ＡＶソース機器の電源をＯＮ制御する連動機能である自動電源ＯＮ機能を有効としているか否かを確認する（ＳＴＥＰ２１０）。
【００７８】
今、自動電源ＯＮ機能を有効としている場合（Ｙｅｓ）、操作データを電源ＯＮするための操作データとして、図８又は図９に示すフローチャートにおけるＳＴＥＰ２４及びＳＴＥＰ２５と同様の動作を行う（ＳＴＥＰ２１１）。即ち、ＳＴＥＰ２０１で確認された入力機器番号に応じたＡＶソース機器が電源ＯＮとなるように赤外線信号を発光部４２より送信するとともに、制御部４６内のメモリなどに動作状態が電源ＯＮとなったことを記録する。このとき、電源ＯＮとするだけでなく、再生動作も開始するようにしても構わない。
【００７９】
ＳＴＥＰ２０５，２０８，２１１の動作が終了したとき、又は、ＳＴＥＰ２０４で自動一時解除機能が無効であるとき（Ｎｏ）、又は、ＳＴＥＰ２０７で自動再生機能が無効であるとき（Ｎｏ）、又は、ＳＴＥＰ２１０で自動電源ＯＮ機能が無効であるとき（Ｎｏ）、又は、ＳＴＥＰ２０９で動作状態が電源ＯＦＦでないとき（Ｎｏ）、このＡＶ機器再開制御動作を終了する。
【００８０】
上述のように、自動電源ＯＮ／ＯＦＦ機能の有効及び無効の設定を行うことができるので、例えば、電源をＯＮした後、立ち上がりの早いＡＶソース機器については、この自動電源ＯＮ／ＯＦＦ機能を有効として電力消費を抑制することができる。又、電源をＯＮした後、立ち上がりの遅いＡＶソース機器については、この自動電源ＯＮ／ＯＦＦ機能を無効として再生動作を再開したときの待ち時間を短くすることができる。
【００８１】
又、このように立ち上がりの遅いＡＶソース機器については、自動一時停止／一時停止解除機能又は自動停止・再開機能を用いて、入力選択が解除されたとき、ＡＶソース機器を停止状態又は一時停止状態にして、例えば、ＤＶＤなどにおけるモータなどの駆動を停止させることで、電力消費を抑制することができる。更に、自動電源ＯＦＦ機能、自動一時停止機能、又は自動停止機能を無効とすることによって、例えば、録画中のビデオなど、その動作を停止すると困るＡＶソース機器について、入力切換後もその動作を継続させることができる。
【００８２】
このように、ＡＶデータ送信装置４が動作するとき、複数のＡＶソース機器からのＡＶデータの入力切換を行ったときや、ＡＶソース機器の操作を行ったときなどにおいて、入力切換されたＡＶデータを送信するＡＶソース機器を示すデータ信号、又は、ＡＶソース機器の動作状態を示すデータ信号などを、データ通信部４５で生成して送信するようにしても構わない。このようなデータ信号をＡＶデータ受信装置３が受信すると、データ通信部３５でそのデータ信号が解析され、入力切換されたＡＶデータを送信するＡＶソース機器又はＡＶソース機器の動作状態を確認すると、確認されたＡＶソース機器又はＡＶソース機器の動作状態をディスプレイ１に与えて、表示させることができる。
【００８３】
（ＡＶデータ信号の送受信）
ＡＶソース機器５ａ〜５ｄから、ＡＶデータ信号がケーブル５２ａ〜５２ｄを介してＡＶデータ送信装置４に送信される。ＡＶデータ送信装置２において、このＡＶソース機器５ａ〜５ｄからのＡＶデータ信号より、ＡＶ入力切換部４３で制御部４６によって設定された入力機器番号に従って、１つのＡＶデータ信号を選択してＡＶデータ送信部４４に与える。
【００８４】
ＡＶデータ信号送信部４４では、ＡＶデータ信号をデータ圧縮して符号化した後、所定の搬送波周波数を用いて変調し、無線信号としてアンテナ４１より送信する。このＡＶデータ送信装置４から送信されたＡＶデータ信号の無線信号が、ＡＶデータ受信装置３のアンテナ３２で受信されると、ＡＶデータ受信部３３でミキシングなどが施されて復調した後、ＡＶデータ信号をデータ伸長して復号化する。そして、ＡＶデータ受信部３３で得られたＡＶデータ信号が、ケーブル１１を介してディスプレイ１に与えられ、ディスプレイ１において映像及び音声が再生される。
【００８５】
＜第２の実施形態＞
本発明の第２の実施形態について、図面を参照して説明する。尚、本実施形態では、第１の実施形態と同様、図１及び図２に示されるような構成の無線通信システムとなる。よって、本実施形態における無線通信システムの構成の説明は省略する。
【００８６】
本実施形態において、ＡＶデータ受信装置３の制御信号の処理動作が、第１の実施形態と同様、図６に示すフローチャートに従った動作となる。又、ＡＶデータ送信装置４の制御信号の処理動作においても、第１の実施形態と同様、その全体動作が図７に示すフローチャートに従った動作に、又、ＡＶ機器操作動作が図８又は図９のフローチャートに従った動作になる。更に、ＡＶデータ信号の送受信についても、第１の実施形態と同様の動作を各装置が行うことによって成される。
【００８７】
そして、本実施形態では、ＡＶデータ送信装置４の制御信号の処理動作における入力切換動作が、第１の実施形態と異なる動作となる。尚、この入力切換動作において、第１の実施形態と異なる点は、ＳＴＥＰ３５における入力切換処理を行う際の動作フローのみである。よって、入力切換動作自体の動作については、第１の実施形態と同様、図１０に示すフローチャートに従った動作である。
【００８８】
以下に、本実施形態における入力切換動作について、図面を参照して説明する。図７のフローチャートにおけるＳＴＥＰ１４の入力切換動作が行われるとき、図１０のフローチャートに示すように、まず、連動機能が有効であるか否かが確認される（ＳＴＥＰ３１）。
【００８９】
この連動機能が有効であるときは（Ｙｅｓ）、第１の実施形態で説明したように、図１１のフローチャートに従ったＡＶ機器停止制御動作を行った後（ＳＴＥＰ３２）、図１２のフローチャートに示す入力切換処理動作を行う（ＳＴＥＰ３３）。そして、図１３のフローチャートに示すＡＶ機器再開制御動作を行い（ＳＴＥＰ３４）、入力切換動作を終了して、ＳＴＥＰ１５に移行する。尚、ＳＴＥＰ３２〜ＳＴＥＰ３４の動作については、このような順番に行われなくても良い。例えば、入力切換処理動作を行う前に、ＡＶ機器再開制御動作を行うようにしても構わない。
【００９０】
又、ＳＴＥＰ３１において、連動機能が無効であるときは（Ｎｏ）、以下に示す図１４のフローチャートに従った入力切換処理動作を行い（ＳＴＥＰ３５）、入力切換動作を終了して、ＳＴＥＰ１５に移行する。このときの入力切換処理動作について、図１４のフローチャートを参照して説明する。
【００９１】
（入力切換処理動作）
第１の実施形態と同様、まず、入力機器番号が５ｃであるか確認される（ＳＴＥＰ１５１）。このとき、入力機器番号が５ｃであると（Ｙｅｓ）、制御部４６において、ＡＶソース機器５ｃを電源ＯＦＦするための制御信号を送信することを示すフラグをセットする（ＳＴＥＰ１６０）。そして、ＡＶソース機器５ｃを電源ＯＦＦするための制御信号を所定時間後に送信するためのタイマをセットする（ＳＴＥＰ１６１）。その後、第１の実施形態と同様、ＡＶ入力切換部４３で選択するＡＶデータ信号をＡＶソース機器５ｄからの信号に切り換えるとともに、入力機器番号を５ｄとして記録する（ＳＴＥＰ１５２）。
【００９２】
又、ＳＴＥＰ１５１において、入力機器番号が５ｃでないとき（Ｎｏ）、第１の実施形態と同様、入力機器番号が５ｂであるか確認される（ＳＴＥＰ１５３）。このとき、入力機器番号が５ｂであると（Ｙｅｓ）、制御部４６において、ＡＶソース機器５ｂを電源ＯＦＦするための制御信号を送信するためのフラグ及びタイマをセットする（ＳＴＥＰ１６２，１６３）。そして、第１の実施形態と同様、ＡＶ入力切換部４３で選択するＡＶデータ信号をＡＶソース機器５ｃからの信号に切り換えるとともに、入力機器番号を５ｃとして記録する（ＳＴＥＰ１５４）。
【００９３】
又、ＳＴＥＰ１５３において、入力機器番号が５ｂでないとき（Ｎｏ）、第１の実施形態と同様、入力機器番号が５ａであるか確認される（ＳＴＥＰ１５５）。このとき、入力機器番号が５ａであると（Ｙｅｓ）、制御部４６において、ＡＶソース機器５ａを電源ＯＦＦするための制御信号を送信するためのフラグ及びタイマをセットする（ＳＴＥＰ１６４，１６５）。そして、第１の実施形態と同様、ＡＶ入力切換部４３で選択するＡＶデータ信号をＡＶソース機器５ｂからの信号に切り換えるとともに、入力機器番号を５ｂとして記録する（ＳＴＥＰ１５６）。
【００９４】
又、ＳＴＥＰ１５５において、入力機器番号が５ａでないとき（Ｎｏ）、制御部４６において、ＡＶソース機器５ｄを電源ＯＦＦするための制御信号を送信するためのフラグ及びタイマをセットする（ＳＴＥＰ１６６，１６７）。そして、第１の実施形態と同様、ＡＶ入力切換部４３で選択するＡＶデータ信号をＡＶソース機器５ａからの信号に切り換えるとともに、入力機器番号を５ａとして記録する（ＳＴＥＰ１５７）。そして、ＳＴＥＰ１５２，１５４，１５６，１５７の切り換え動作を終了すると、入力切換処理動作を終了する。
【００９５】
このように入力切換処理動作が行われるため、ＡＶデータ信号の入力を切り換えるように指示されると、第１の実施形態と同様、ＡＶ入力切換部４３によって選択されるＡＶデータ信号を出力するＡＶソース機器が、５ａ→５ｂ→５ｃ→５ｄ→５ａ…のように、巡回的に切り換えられる。又、このとき、電源をＯＦＦするための制御信号を送信するためのフラグ及びタイマが、５ｂ→５ｃ→５ｄ→５ａ→５ｂ…のように、巡回的にセットされる。
【００９６】
このように、本実施形態において、連動機能が無効である場合、入力切換処理動作を行う際に、切り換え前のＡＶソース機器を所定時間経過後に自動的に電源ＯＦＦするように、フラグ及びタイマをセットする。よって、このようにフラグ及びタイマをセットしたときに、自動的に電源ＯＦＦするための制御信号となる無線信号をＡＶソース機器に送信するためのタイマ動作を行う。このときのタイマ動作を以下に説明する。
【００９７】
（自動電源ＯＦＦ制御のタイマ動作の第１例）
このとき、以下において説明を簡単にするために、入力機器番号５ａ〜５ｄをそれぞれ、入力機器番号１〜４とする。又、このタイマ動作の第１例は、図１５に示すフローチャートに従った動作となる。
【００９８】
まず、制御部４６で比較するための機器番号をＮとしたとき、この機器番号Ｎを初期値である「１」に設定する（ＳＴＥＰ２５１）。そして、ＡＶ入力切換部４３に与えられる機器番号Ｋ（Ｋは１〜４）が制御部４６で確認される（ＳＴＥＰ２５２）。ＳＴＥＰ２５２で確認された機器番号Ｋが、ＳＴＥＰ２５１又は後述するＳＴＥＰ２５８で設定された機器番号Ｎと比較される（ＳＴＥＰ２５３）。即ち、ＡＶ入力切換部４３で選択されるＡＶデータ信号を出力するＡＶソース機器が、機器番号ＮのＡＶソース機器に相当するか否かが確認される。
【００９９】
このとき、機器番号Ｋが機器番号Ｎと異なるとき（Ｎｏ）、機器番号ＮとなるＡＶソース機器に対するフラグがセットされているか否かが確認される（ＳＴＥＰ２５４）。そして、フラグがセットされているとき（Ｙｅｓ）、制御部４６でセットされたタイマによる時間が確認され、所定時間が経過したか否かが確認される（ＳＴＥＰ２５５）。
【０１００】
このとき、所定時間が経過したことが確認されると（Ｙｅｓ）、機器番号Ｎに対するフラグがリセットされる（ＳＴＥＰ２５６）。そして、機器番号ＮとなるＡＶソース機器に対して電源ＯＦＦとするための制御信号が制御部４６で生成された後、発光部５２より赤外線信号が送信される（ＳＴＥＰ２５７）。よって、この赤外線信号を受信した機器番号ＮのＡＶソース機器の電源がＯＦＦとなる。
【０１０１】
ＳＴＥＰ２５３で機器番号Ｋが機器番号Ｎと一致するとき（Ｙｅｓ）、又は、ＳＴＥＰ２５４でフラグがセットされていないとき（Ｎｏ）、又は、ＳＴＥＰ２５５で所定時間の経過が確認されないとき（Ｎｏ）、又は、ＳＴＥＰ２５７での電源ＯＦＦするための制御信号の送信動作を行ったとき、機器番号Ｎを１つ加算して設定する（ＳＴＥＰ２５８）。そして、新たに設定した機器番号Ｎが、４より大きいか否かが確認される（ＳＴＥＰ２５９）。
【０１０２】
ＳＴＥＰ２５９で機器番号Ｎが４を超えなかったとき（Ｎｏ）、新たに設定した機器番号Ｎに対して、ＳＴＥＰ２５３〜ＳＴＥＰ２５８の動作を行う。又、機器番号Ｎが４を超えるとき（Ｙｅｓ）、再び、機器番号Ｎを初期値である「１」に設定する（ＳＴＥＰ２６０）。そして、ＳＴＥＰ２５３と同様、ＳＴＥＰ２５２で確認された機器番号ＫとＳＴＥＰ２６０又は後述するＳＴＥＰ２６３で設定された機器番号Ｎとが一致するか比較する（ＳＴＥＰ２６１）。
【０１０３】
このとき、機器番号Ｋが機器番号Ｎと異なるとき（Ｎｏ）、機器番号ＮのＡＶソース機器に対するフラグがセットされているか否かが確認される（ＳＴＥＰ２６２）。そして、フラグがセットされているとき（Ｙｅｓ）、ＳＴＥＰ２５５に移行して、所定時間が経過したか否かが確認された後、このＳＴＥＰ２５５以降の動作を行う。
【０１０４】
ＳＴＥＰ２６１で機器番号Ｋが機器番号Ｎと一致するとき（Ｙｅｓ）、又は、ＳＴＥＰ２６２でフラグがセットされていないとき（Ｎｏ）、機器番号Ｎを１つ加算して設定する（ＳＴＥＰ２６３）。そして、新たに設定した機器番号Ｎが、４より大きいか否かが確認される（ＳＴＥＰ２６４）。ＳＴＥＰ２６３で機器番号Ｎが４を超えなかったとき（Ｎｏ）、新たに設定した機器番号Ｎに対して、ＳＴＥＰ２６１以降の動作を行う。又、機器番号Ｎが４を超えるとき（Ｙｅｓ）、このタイマ動作を終了する。
【０１０５】
このようにすることで、例えば、機器番号２のＡＶソース機器５ｂのＡＶデータ信号がＡＶ入力切換部４３で選択されているとき、まず、機器番号１のＡＶソース機器５ａに対するフラグのセットが成されているか確認した後、セットされているときは、そのタイマより所定時間経過しているか否かを確認する。そして、次に、機器番号３のＡＶソース機器５ｃに対するフラグのセットが成されているか確認した後、セットされているときは、そのタイマより所定時間経過しているか否かを確認する。
【０１０６】
最後に、機器番号４のＡＶソース機器５ｄに対するフラグのセットが成されているか確認した後、セットされているときは、そのタイマより所定時間経過しているか否かを確認する。このようにして動作している間に、タイマが所定時間経過しているＡＶソース機器に対しては、そのフラグをリセットするとともに、電源ＯＦＦするための制御信号となる赤外線信号を送信する。
【０１０７】
その後、ＡＶ入力切換部４３で選択されているＡＶデータ信号を出力するＡＶソース機器５ｂ以外のＡＶソース機器５ａ，５ｃ，５ｄのフラグが全てリセットされているか否かが確認され、全てリセットされていると、タイマ動作を終了する。
【０１０８】
（自動電源ＯＦＦ制御のタイマ動作の第２例）
ＡＶソース機器を所定時間経過後に自動的にＯＦＦさせるために、自動電源ＯＦＦ機能を有している場合、この自動電源ＯＦＦ機能を有効又は無効として設定することができる。よって、このとき、上述の第１例における図１５のフローチャートに、自動電源ＯＦＦ機能が有効であるか否かを確認するステップを設ける必要がある。このような自動電源ＯＦＦ機能が有効であるかの確認を行うためのステップを追加した例を、図１６のフローチャートに示す。
【０１０９】
図１６のフローチャートにおいて、図１５のフローチャートと同一の動作ステップについては同一の符号を付して、その詳細な説明は省略する。本例では、上述の第１例と異なり、ＳＴＥＰ２５３で機器番号Ｋと機器番号Ｎとを比較して一致しなかったとき（Ｎｏ）、機器番号ＮのＡＶソース機器に対する自動電源ＯＦＦ機能を有効としているか否かが確認される（ＳＴＥＰ２７１）。このとき、自動電源ＯＦＦ機能を有効としている場合は（Ｙｅｓ）、フラグがセットされているか否かの確認が行われ（ＳＴＥＰ２５４）、逆に、自動電源ＯＦＦ機能を無効としている場合は（Ｎｏ）、機器番号Ｎを１つ加算して設定する（ＳＴＥＰ２５８）。
【０１１０】
又、同様に、ＳＴＥＰ２６１で機器番号Ｋと機器番号Ｎとを比較して一致しなかったとき（Ｎｏ）、第１例と異なり、機器番号ＮのＡＶソース機器に対する自動電源ＯＦＦ機能を有効としているか否かが確認される（ＳＴＥＰ２７２）。このとき、自動電源ＯＦＦ機能を有効としている場合は（Ｙｅｓ）、フラグがセットされているか否かの確認が行われ（ＳＴＥＰ２６２）、逆に、自動電源ＯＦＦ機能を無効としている場合は（Ｎｏ）、機器番号Ｎを１つ加算して設定する（ＳＴＥＰ２６３）。
【０１１１】
このように、本実施形態においては、図１０のフローチャートにおけるＳＴＥＰ３５での入力切換処理動作が行われた場合でも、所定時間が経過すると、ＡＶ入力切換部４３でＡＶデータ信号が選択されていないＡＶソース機器に対して、ＡＶデータ送信装置２より赤外線信号を送信して、自動的に電源ＯＦＦするように制御することができる。
【０１１２】
尚、本実施形態において、タイマによる所定時間は、ユーザーによって設定可能であるものとしても構わない。このようにすることで、例えば、ゆっくり視聴するＡＶソース機器を決定している場合は、タイマによる所定時間を長く設定することができ、又、できる限り電力消費を抑制したい場合は、タイマによる所定時間を短く設定することができるなど、ユーザーの所望する時間に設定することができる。
【０１１３】
第１及び第２の実施形態のように、ＡＶデータ送信装置４に設けられた発光部４２を、図３のように複数のＬＥＤを備えることによって、発光部４２から照射される赤外線の照射範囲を広くして、広い指向性を持つものとしても構わない。しかしながら、ＡＶソース機器に同一メーカの同一機器を複数台用いた場合、その制御コードが１組又は２組しかないため、このような同一機器をＡＶデータ送信装置４によって個別に制御することができない場合がある。よって、このような場合でも個別に制御できるような実施形態を以下に示す。
【０１１４】
＜第３の実施形態＞
本発明の第３の実施形態について、図面を参照して説明する。図１７は、本実施形態の無線通信システムの構成を示す外観図である。又、図１８は、本実施形態の無線通信システムを構成する各装置の内部構成を示すブロック図である。尚、図１７及び図１８において、図１及び図２の無線通信システムと同一の部分については、同一の符号を付して、その詳細な説明は省略する。
【０１１５】
図１７の無線通信システムは、第１又は第２の実施形態と同様、ディスプレイ１と、リモコン２と、ＡＶデータ受信装置３ａと、ＡＶデータ送信装置４ａと、ＡＶソース機器５ａ〜５ｄとから構成される。このとき、ＡＶデータ受信装置３ａは、図１におけるＡＶデータ受信装置３と異なり、赤外線信号を受信する受光部３１が備えられず、ディスプレイ１で受信された制御信号を電気信号としてディスプレイ１から与えられる。又、ＡＶデータ送信装置４ａは、図１におけるＡＶデータ送信装置４と異なり、ＡＶソース機器５ａ〜５ｄのそれぞれに設けられた受光部５１ａ〜５１ｄのそれぞれに赤外線信号を送信するための発光部４２ａ〜４２ｄを備える。
【０１１６】
又、このような無線通信システムにおいて、図１８のように、ディスプレイ１の受光部１２において赤外線信号が受信され、この受信された赤外線信号がＡＶデータ受信装置３ａの制御部３４に与えられる。又、ＡＶデータ送信装置４ａは、発光部４２ａ〜４２ｄより赤外線信号を送信するためのものを選択する発光部切換部４７を有し、この発光部切換部４７は制御部４６によって制御される。尚、図１８において、その他の構成については、図２の構成と同様である。又、発光部４２ａ〜４２ｄは、図１９のようになる。即ち、取り付け部１１２の上に赤外線発光素子１１１が設置されるとともに発光部切換部４７から制御信号を与えるための信号線１１３が設けられた発光ユニットとして構成される。
【０１１７】
このように、無線通信システムが構成されるとき、各装置の動作は、ＡＶデータ送信装置４ａがＡＶソース機器５ａ〜５ｄを操作するための赤外線信号の送信動作と、リモコン２から赤外線信号の受信動作以外は、第２の実施形態の無線通信システムと同一の動作を行うものとする。よって、赤外線信号受信動作、ＡＶ機器操作動作、ＡＶ機器停止制御動作、ＡＶ機器再開制御動作、及び、自動電源ＯＦＦ制御のタイマ動作における異なる点を説明するとともに、他の同一の動作についての説明は省略する。
【０１１８】
まず、赤外線信号の受信動作について、説明する。リモコン２から赤外線信号が送信されると、ディスプレイ１の受光部１２で赤外線信号が受信される。そして、ディスプレイ１において、受信された赤外線信号が、ＴＶ電源キー、音量ＵＰキー、音量ＤＯＷＮキーなどが操作され、ディスプレイ１を制御するための信号であるか否かが確認される。このとき、ディスプレイ１を制御するための信号である場合、その信号に従って、ディスプレイの電源のＯＮ／ＯＦＦ又は音量の変更が行われる。
【０１１９】
又、ディスプレイ１で受信した赤外線信号が、ディスプレイ１を制御するための信号でない場合、この制御信号を電気信号に変換して、ＡＶデータ受信装置３ａに出力する。ＡＶデータ受信装置３ａでは、ディスプレイ１より与えられた電気信号より制御信号を制御部３４で確認し、データ通信部３５を制御して、この制御信号に基づいた無線信号を生成して、アンテナ３２を介して送信する。
【０１２０】
次に、ＡＶデータ送信装置４ａのＡＶ機器操作動作について、図２０のフローチャートに従って説明する。尚、図２０のフローチャートにおいて、図９に示すフローチャートに従って動作する。又、本実施形態では、第１の実施形態におけるＡＶ機器操作動作の第２例と同様の動作をするものとするが、第１例と同様の動作をするものとしても構わない。
【０１２１】
第１の実施形態における第２例と同様、ＳＴＥＰ２１で入力機器番号を確認した後、ＳＴＥＰ２２で、ユーザーが指示した操作コードを確認する。そして、ＳＴＥＰ２３で、この確認した操作コードが有効であるか否かの判定を行う。このとき、有効であれば（Ｙｅｓ）、発光部切換部４７によって、ＳＴＥＰ２１で確認された入力機器番号に応じたＡＶソース機器に対して赤外線信号を送信する発光部を発光部４２ａ〜４２ｄより選択する（ＳＴＥＰ２７）。
【０１２２】
そして、制御部４６で確認された制御信号が発光部切換部４７を介して、選択された発光部に与えられ、発光部より赤外線信号が送信される（ＳＴＥＰ２４）。よって、選択された発光部の赤外線発光素子１１１から赤外線信号が、ＡＶソース機器の受信部で受信される。このとき、ＡＶソース機器の動作状態を制御部４６内のメモリなどに記録する（ＳＴＥＰ２５）。
【０１２３】
又、ＳＴＥＰ２３で、操作コードが無効であると判定された場合（Ｎｏ）、無効であることを示すためのエラー信号をアンテナ４１を介して送信する（ＳＴＥＰ２６）。このように、ＳＴＥＰ２５及びＳＴＥＰ２６の各動作が終了すると、ＡＶ機器操作動作を終了する。
【０１２４】
又、ＡＶ機器停止制御動作は、図１１のフローチャートに従って行われるが、ＳＴＥＰ１０５、ＳＴＥＰ１０８、ＳＴＥＰ１１１の動作において、図２０のフローチャートに示すＳＴＥＰ２７、ＳＴＥＰ２４及びＳＴＥＰ２５と同様の動作を行う。即ち、ＳＴＥＰ１０５では、まず、ＳＴＥＰ１０１で得られた入力機器番号に応じた発光部を発光部切換部４７で選択する。そして、ＡＶソース機器が電源ＯＦＦとなるように赤外線信号を発光部切換部４７で選択した発光部より送信するとともに、制御部４６内のメモリなどに動作状態が電源ＯＦＦとなったことを記録する。
【０１２５】
同様に、ＳＴＥＰ１０８においても、入力機器番号に応じた発光部を発光部切換部４７で選択した後、ＡＶソース機器が再生動作を停止するように赤外線信号を発光部切換部４７で選択した発光部より送信するとともに、制御部４６内のメモリなどに動作状態が停止状態となったことを記録する。又、ＳＴＥＰ１１１においても、入力機器番号に応じた発光部を発光部切換部４７で選択した後、ＡＶソース機器が一時停止するように赤外線信号を発光部切換部４７で選択した発光部より送信するとともに、制御部４６内のメモリなどに動作状態が一時停止状態となったことを記録する。
【０１２６】
又、ＡＶ機器再開制御動作についても、図１３のフローチャートに従って行われるが、ＳＴＥＰ２０５、ＳＴＥＰ２０８、ＳＴＥＰ２１１の動作において、ＡＶ機器停止制御動作と同様、図２０のフローチャートに示すＳＴＥＰ２７、ＳＴＥＰ２４及びＳＴＥＰ２５と同様の動作を行う。即ち、ＳＴＥＰ２０１で得られた入力機器番号に応じた発光部を発光部切換部４７で選択し、赤外線信号を発光部切換部４７で選択した発光部より送信するとともに、制御部４６内のメモリなどに動作状態を記録する。
【０１２７】
更に、自動電源ＯＦＦ制御のタイマ動作についても、図１６のフローチャートに従って行われるが、ＳＴＥＰ２５７の動作において、ＡＶ機器停止制御動作と同様、図２０のフローチャートに示すＳＴＥＰ２７、ＳＴＥＰ２４及びＳＴＥＰ２５と同様の動作を行う。即ち、設定された入力機器番号に応じた発光部を発光部切換部４７で選択し、赤外線信号を発光部切換部４７で選択した発光部より送信するとともに、制御部４６内のメモリなどに動作状態を記録する。尚、本実施形態では、第２の実施形態における自動電源ＯＦＦ制御のタイマ動作の第２例と同様の動作をするものとしたが、第１例と同様の動作をするものとしても構わない。
【０１２８】
尚、本実施形態において、ＡＶデータ送信装置４ａが第２の実施形態の動作を基本とした動作を行うものとしたが、自動電源ＯＦＦ制御のタイマ動作を行わない第１の実施形態の動作を基本とした動作を行うものとしても構わない。
【０１２９】
このように、複数のＡＶソース機器それぞれにの受光部に対して赤外線信号を直接送信する発光部となる発光ユニットが設けられるので、第１及び第２の実施形態と異なり、制御するように選択されたＡＶソース機器のみに赤外線信号を送信することができる。しかしながら、発光部に備えられた赤外線発光素子の照射範囲は広がりを有する。
【０１３０】
そのため、図２１のように、例えば、発光部４２ａに設けられた赤外線発光素子１１１の照射範囲内に、この発光部４２ａが制御するＡＶソース機器５ａの受光部５１ａ以外に、ＡＶソース機器５ｂの受光部５１ｂが存在してしまうことがある。よって、ＡＶソース機器５ａ，５ｂが同一の機器である場合、誤作動させてしまう恐れがある。よって、同一の機器における誤作動を防ぐことができるような実施形態を以下に示す。
【０１３１】
＜第４の実施形態＞
本発明の第４の実施形態について、図面を参照して説明する。図２２は、本実施形態の無線通信システムの構成を示す外観図である。又、本実施形態の無線通信システムを構成する各装置の内部構成は、第３の実施形態と同様、図１８のようになる。尚、図２２において、図１７の無線通信システムと同一の部分については、同一の符号を付して、その詳細な説明は省略する。
【０１３２】
図２２の無線通信システムは、第３の実施形態と同様、ディスプレイ１と、リモコン２と、ＡＶデータ受信装置３ａと、ＡＶデータ送信装置４ｂと、ＡＶソース機器５ａ〜５ｄとから構成される。このとき、ＡＶデータ送信装置４ｂは、図１７におけるＡＶデータ送信装置４ａと異なり、ＡＶソース機器５ａ〜５ｄのそれぞれに設けられた受光部５１ａ〜５１ｄのそれぞれに赤外線信号を送信するための発光部４２ａ〜４２ｄの代わりに、発光部４２ｋ〜４２ｎを備える。尚、図１８において、発光部４２ａ〜４２ｄが発光部４２ｋ〜４２ｎに相当し、ＡＶデータ送信装置４ａがＡＶデータ送信装置４ｂに相当する。
【０１３３】
本実施形態では、発光部４２ｋ〜４２ｎは、図２３のようになる。図２３に示すように、図１９に示す取り付け部１１２の上に赤外線発光素子１１１が設置されるとともに発光部切換部４７から制御信号を与えるための信号線１１３が設けられた発光ユニットに、更に、赤外線発光素子１１１からの赤外線の照射方向を絞るための遮蔽部１１４が設けられる。即ち、発光部４２ｋ〜４２ｎはそれぞれ、ＡＶソース機器５ａ〜５ｄに備えられた受光部５１ａ〜５１ｄに対面する方向以外の照射を防ぐために、受光部５１ａ〜５１ｄに対面する方向以外の方向を覆うように、遮蔽部１１４が設けられる。
【０１３４】
即ち、図２２のように、発光部４２ｋにおいて、この発光部４２ｋが制御するＡＶソース機器５ａ以外のＡＶソース機器５ｂ，５ｃ，５ｄに対して赤外線信号が照射されることが遮蔽部１１４によって防がれる。又、同様に、発光部４２ｌにおいてはＡＶソース機器５ａ，５ｃ，５ｄに対して、発光部４２ｍにおいてはＡＶソース機器５ａ，５ｂ，５ｄに対して、発光部４２ｎにおいてはＡＶソース機器５ａ，５ｂ，５ｃに対して、赤外線信号が照射されることが遮蔽部１１４によって防がれる。
【０１３５】
このように、発光部４２ｋ〜４２ｎそれぞれが、ＡＶソース機器５ａ〜５ｄそれぞれに備えられた受光部５１ａ〜５１ｄにのみ赤外線信号を照射するため、第３の実施形態のように、同一の機器における誤作動を防ぐことができる。尚、本実施形態の無線通信システムにおける各装置の動作については、第３の実施形態と同様であるため、その詳細な説明は省略する。
【０１３６】
＜第５の実施形態＞
本発明の第５の実施形態について、図面を参照して説明する。図２４は、本実施形態の無線通信システムの構成を示す外観図である。又、本実施形態の無線通信システムを構成する各装置の内部構成は、第４の実施形態と同様、図１８のようになる。尚、図２４において、図２２の無線通信システムと同一の部分については、同一の符号を付して、その詳細な説明は省略する。
【０１３７】
図２４の無線通信システムは、第４の実施形態と同様、ディスプレイ１と、リモコン２と、ＡＶデータ受信装置３ａと、ＡＶデータ送信装置４ｃと、ＡＶソース機器５ａ〜５ｄとから構成される。このとき、ＡＶデータ送信装置４ｃは、図２２におけるＡＶデータ送信装置４ｂと異なり、ＡＶソース機器５ａ〜５ｄのそれぞれに設けられた受光部５１ａ〜５１ｄのそれぞれに赤外線信号を送信するための発光部４２ｋ〜４２ｎの代わりに、発光部４２ｐ〜４２ｓを備える。尚、図１８において、発光部４２ａ〜４２ｄが発光部４２ｐ〜４２ｓに相当し、ＡＶデータ送信装置４ａがＡＶデータ送信装置４ｃに相当する。
【０１３８】
本実施形態では、発光部４２ｐ〜４２ｓは、図２５のようになる。即ち、取り付け部１１２の上に赤外線の照射方向を絞るための遮蔽部１１４ａで覆われた赤外線発光素子１１１が設置されるとともに発光部切換部４７から制御信号を与えるための信号線１１３が設けられた発光ユニットが構成される。このとき、図２３に示す発光ユニットと同様、遮蔽部１１４ａによって、発光部４２ｐ〜４２ｓはそれぞれ、ＡＶソース機器５ａ〜５ｄに備えられた受光部５１ａ〜５１ｄに対面する方向以外の照射が防がれる。
【０１３９】
更に、この遮蔽部１１４ａには、リモコン２から送信される赤外線信号を透過させるための赤外線通過部１１５となる領域が設けられる。この赤外線通過部１１５は、単に、遮蔽部１１４ａの赤外線を遮蔽する材料を除去することで形成しても構わないし、赤外線を遮蔽する材料を除去した後に、この除去した領域に赤外線を透過させることのできる材料で覆うようにして形成しても構わない。
【０１４０】
このように構成される遮蔽部１１４ａを備えた発光部がＡＶソース機器に対して、図２６のように設置される。図２６では、発光部４２ｓとＡＶソース機器５ｄとの設置関係を示すもので、発光部４２ｓを代表して説明する。図２６に示すように、遮蔽部１１４ａに設けられた赤外線通過部１１５がＡＶソース機器５ｄの受光部５１ｄと対面する位置となるように、発光部４２ｓが設置される。よって、外部からＡＶソース機器５ｄに対応するリモコン２ａが操作されて赤外線信号が送信されるとき、この赤外線通過部１１５を赤外線信号が通過して、受光部５１ｄで受信される。
【０１４１】
このように、発光部４２ｐ〜４２ｓそれぞれが、ＡＶソース機器５ａ〜５ｄそれぞれに備えられた受光部５１ａ〜５１ｄにのみ赤外線信号を照射するとともに、外部からの赤外線信号を赤外線通過部１１５を通過させて受光部５１ａ〜５１ｄに受信させることができる。よって、赤外線通過部１１５とＡＶソース機器５ａ〜５ｄの受光部５１ａ〜５１ｄとを結ぶ方向から赤外線信号を送信するように、リモコンを操作して、ＡＶソース機器５ａ〜５ｄを制御させることができる。尚、本実施形態の無線通信システムにおける各装置の動作については、第３の実施形態と同様であるため、その詳細な説明は省略する。
【０１４２】
尚、第４の実施形態では、発光部として遮蔽部１１４を備えた発光ユニットのみを用い、又、第５の実施形態では、発光部として遮蔽部１１４ａを備えた発光ユニットのみを用いたが、遮蔽部１１４を備えた発光ユニットと遮蔽部１１４ａを備えた発光ユニットとを組み合わせて用いるようにしても構わない。又、遮蔽部１１４及び遮蔽部１１４ａそれぞれが、一部もしくは全部が取り外しができる構造とし、赤外線信号の入射可能な領域を拡大可能なものとしても構わない。更に、取付部１１２上の赤外線発光素子１１１の高さなどの位置調整を行うことができるものとしても構わない。
【０１４３】
又、第３〜第５の実施形態において、複数の発光部が発光動作を行い、複数のＡＶソース機器に対して赤外線信号が送信されるようにしても構わない。即ち、例えば、図１０のフローチャートにおけるＳＴＥＰ３２のＡＶ機器停止制御動作と、ＳＴＥＰ３３の入力切換処理動作及びＳＴＥＰ３４のＡＶ機器再開制御動作とが平行して行われ、ＡＶ機器停止制御動作によって発光動作をする発光部とＡＶ機器再開制御動作によって発光動作をする発光部とが、ほぼ同時に動作を行うようにしても構わない。
【０１４４】
＜第６の実施形態＞
本発明の第６の実施形態について、図面を参照して説明する。図２７は、本実施形態の無線通信システムにおけるＡＶデータ送信装置の内部構成を示すブロック図である。尚、図２７において、図１８のＡＶデータ送信装置と同一の部分については、同一の符号を付して、その詳細な説明は省略する。又、ＡＶデータ受信装置の内部構成は、第３の実施形態と同様、図１８のようになる。よって、本実施形態においては、ＡＶデータ送信装置について説明するものとして、他の装置についての詳細な説明は省略する。
【０１４５】
図２７に示すＡＶデータ送信装置４ｄは、図１８のＡＶデータ送信装置４ａと異なり、ＡＶセレクタのようなＡＶ入力切換装置４３ａが外部に設けられることにより、ＡＶ入力切換部４３が省かれるとともに、ＡＶ入力切換装置４３ａに対して制御信号となる赤外線信号を送信する発光部４８が設けられた構成となる。この発光部４８には制御部４６より制御信号が与えられる。尚、その他の構成については、図１８のＡＶデータ送信装置４ａと同一である。又、ＡＶ入力切換装置４３ａは、不図示だが、赤外線信号を受信するための受光部を備える。
【０１４６】
このようにＡＶデータ装置４ｄが構成されるとき、ＡＶソース機器５ａ〜５ｄから出力されるＡＶデータ信号の内より入力されるＡＶデータ信号を選択するために、ＡＶ入力切換装置４３ａに対して、選択する入力機器番号を示す制御信号から生成された赤外線信号が発光部４８より送信される。よって、ＡＶ入力切換装置４３ａは、発光部４８からの赤外線信号を受信すると、この赤外線信号による入力機器番号に従って、ＡＶソース機器５ａ〜５ｄから出力されるＡＶデータ信号の内から選択したＡＶデータ信号をＡＶデータ送信装置４ｄに送信する。
【０１４７】
このように、本実施形態では、ＡＶソース機器からのＡＶデータ信号の入力切換を、ＡＶデータ送信装置内で行うのでなく、外部に備えられたＡＶ入力切換装置に赤外線信号を送信して、このＡＶ入力切換装置を制御することで行う。よって、ＡＶセレクタなどのＡＶ入力切換装置が存在するときに流用することができるとともに、ＡＶソース機器からのＡＶデータ信号の入力切換ＡＶデータ送信装置を小型化することができる。
【０１４８】
尚、ＡＶ入力切換装置に対して赤外線信号を送信するための専用の発光部を設けるようにしたが、第１又は第２の実施形態と同様に、各ＡＶソース機器に対して赤外線信号を送信するための発光部を、ＡＶ入力切換装置に対して赤外線信号を送信するためのものとして利用するようにしても構わない。又、ＡＶ入力切換装置についても赤外線信号などを用いた無線通信にて制御信号を送信するようにしたが、ケーブルなどで接続して有線通信にて制御信号を送信するようにしても構わない。
【０１４９】
＜第７の実施形態＞
本発明の第７の実施形態について、図面を参照して説明する。図２８は、本実施形態の無線通信システムをにおけるＡＶデータ送信装置の内部構成を示すブロック図である。尚、図２８において、図１８のＡＶデータ送信装置と同一の部分については、同一の符号を付して、その詳細な説明は省略する。又、ＡＶデータ受信装置の内部構成は、第３の実施形態と同様、図１８のようになる。よって、本実施形態においては、ＡＶデータ送信装置について説明するものとして、他の装置についての詳細な説明は省略する。
【０１５０】
図２８に示すＡＶデータ送信装置４ｅは、図１８のＡＶデータ送信装置４ａにＡＶソース機器５ａ〜５ｄの電源制御を行うための電源制御部４９が付加された構成となる。尚、その他の構成については、図１８のＡＶデータ送信装置４ａと同一である。このＡＶデータ装置４ｅは、ＡＶ機器停止制御動作において電源ＯＦＦを行う場合、又は、ＡＶ機器再開制御動作において電源ＯＮを行う場合、又は、自動電源ＯＦＦ制御のタイマ動作において電源ＯＦＦを行う場合、制御部４６によって電源制御部４９を制御して、選択したＡＶソース機器のＡＣ電源をＯＮ／ＯＦＦ制御する。
【０１５１】
このように、本実施形態では、ＡＣ電源を制御することができるので、ＡＶソース機器の電源を完全にＯＦＦとすることが可能である。よって、待機電力を最小限に抑制した無線通信システムを構築することができる。
【０１５２】
尚、本実施形態において、発光部をＡＶソース機器それぞれに対して設けたＡＶデータ装置としたが、第１又は第２の実施形態のように、１つの発光部のみを設け、複数のＡＶソース機器に赤外線信号を送信することのできるＡＶデータ送信装置としても構わない。又、本実施形態において、第６の実施形態のように、外部に設けられたＡＶ入力切換装置に対して赤外線信号を送信するようなＡＶデータ送信装置としても構わない。更に、第６及び第７の実施形態において、発光部４ａ〜４ｄの代わりに、第４の実施形態で用いた発光部４ｋ〜４ｎ又は第５の実施形態で用いた発光部４ｐ〜４ｓとしても構わない。
【０１５３】
【発明の効果】
本発明によると、広い指向性を有する発光部又は複数の発光部を備えることによって、複数のＡＶソース機器に対して、赤外線信号を照射することができるため、複数のＡＶソース機器を安定して制御することができる。又、複数の発光部を備える際、遮蔽部などを設けて、単一のＡＶソース機器にのみ赤外線信号の照射が可能なものとすることで、動作させたいＡＶソース機器のみに赤外線信号を送信することができ、他のＡＶソース機器を誤操作することを防ぐことができる。又、遮蔽部に赤外線通過領域を設けることによって、ＡＶデータ送信装置の発光部以外の外部から、リモートコントローラなどの操作装置を用いて赤外線信号を送信して、ＡＶソース機器の制御を行うことができる。
【０１５４】
又、入力選択が解除されたＡＶソース機器の電源をＯＦＦするか、又は、その再生動作を停止させることができるので、入力選択が解除された時点で再生動作を行っているＡＶソース機器の再生動作を停止される。又、このとき、更に、入力選択が成されたＡＶソース機器の再生動作を再開できるので、入力選択がなされたとき、入力選択が解除された直後の部分から再生を行うことができる。
【０１５５】
又、前記ＡＶソース機器の入力選択に連動して、該入力選択が解除された前記ＡＶソース機器の電源を自動的にＯＦＦするための機能、又は、該入力選択が成された前記ＡＶソース機器の自動的にＯＮするための機能について、有効にするか否かの選択ができる。よって、例えば、電源ＯＮにした後、立ち上がりの遅いＡＶソース機器においてはこの機能を無効とすることができ、再生動作を再開するときの待機時間を短縮することができる。又、この機能を有効としたときは、動作させない待機状態のときに電源ＯＦＦとされるため、消費電力を低減することができる。
【図面の簡単な説明】
【図１】本発明の無線通信システムの構成の一例を示す外観図。
【図２】本発明の無線通信システムを構成する各装置の内部構成の一例を示すブロック図。
【図３】発光部の構成を示すための図。
【図４】図１の無線通信システムにおけるＡＶデータ送信装置の発光部の照射範囲を示す図。
【図５】リモコン機能表の例。
【図６】ＡＶデータ受信装置の制御信号の処理動作を示すフローチャート。
【図７】ＡＶデータ送信装置の制御信号の処理動作を示すフローチャート。
【図８】図１の無線通信システムにおけるＡＶデータ送信装置のＡＶ機器操作動作の一例を示すフローチャート。
【図９】図１のＡＶデータ送信装置のＡＶ機器操作動作の一例を示すフローチャート。
【図１０】入力切換動作の一例を示すフローチャート。
【図１１】ＡＶ機器停止制御動作を示すフローチャート。
【図１２】入力切換処理動作の一例を示すフローチャート。
【図１３】ＡＶ機器再開制御動作を示すフローチャート。
【図１４】入力切換処理動作の一例を示すフローチャート。
【図１５】自動電源ＯＦＦ制御のタイマ動作の一例を示すフローチャート。
【図１６】自動電源ＯＦＦ制御のタイマ動作の一例を示すフローチャート。
【図１７】第３の実施形態の無線通信システムの構成の一例を示す外観図。
【図１８】本発明の無線通信システムを構成する各装置の内部構成の一例を示すブロック図。
【図１９】図１７の無線通信システムにおけるＡＶデータ送信装置の発光部の構成の一例を示す外観図。
【図２０】図１７の無線通信システムにおけるＡＶデータ送信装置のＡＶ機器操作動作の一例を示すフローチャート。
【図２１】図１７の無線通信システムにおけるＡＶデータ送信装置の発光部の照射範囲を示す図。
【図２２】第４の実施形態の無線通信システムの構成の一例を示す外観図。
【図２３】図２２の無線通信システムにおけるＡＶデータ送信装置の発光部の構成の一例を示す外観図。
【図２４】第５の実施形態の無線通信システムの構成の一例を示す外観図。
【図２５】図２４の無線通信システムにおけるＡＶデータ送信装置の発光部の構成の一例を示す外観図。
【図２６】図２４の無線通信システムにおけるＡＶデータ送信装置発光部とＡＶソース機器との設置関係を示す外観図。
【図２７】第６の実施形態の無線通信システムを構成する各装置の内部構成の一例を示すブロック図。
【図２８】第７の実施形態の無線通信システムを構成する各装置の内部構成の一例を示すブロック図。
【図２９】従来の無線通信システムの構成の一例を示す外観図。
【図３０】図２９の無線通信システムにおけるＡＶデータ送信装置の発光部の照射範囲を示す図。
【図３１】図２９の無線通信システムにおけるＡＶデータ送信装置の発光部の照射範囲を示す図。
【符号の説明】
１    ディスプレイ
２    リモートコントローラ
３    ＡＶデータ受信装置
４    ＡＶデータ送信装置
５ａ〜５ｄ    ＡＶソース機器
１１    ケーブル
３１    受光部
３２    アンテナ
３３    ＡＶデータ受信部
３４    制御部
３５    データ通信部
４１    アンテナ
４２    受光部
４３    ＡＶ入力切換部
４４    ＡＶデータ送信部
４５    データ通信部
４６    制御部
５１ａ〜５１ｄ    受光部
５２ａ〜５２ｄ    ケーブル
【図１】
0003877588.tif 000002
【図２】
0003877588.tif 000003
【図３】
0003877588.tif 000004
【図４】
0003877588.tif 000005
【図５】
0003877588.tif 000006
【図６】
0003877588.tif 000007
【図７】
0003877588.tif 000008
【図８】
0003877588.tif 000009
【図９】
0003877588.tif 000010
【図１０】
0003877588.tif 000011
【図１１】
0003877588.tif 000012
【図１２】
0003877588.tif 000013
【図１３】
0003877588.tif 000014
【図１４】
0003877588.tif 000015
【図１５】
0003877588.tif 000016
【図１６】
0003877588.tif 000017
【図１７】
0003877588.tif 000018
【図１８】
0003877588.tif 000019
【図１９】
0003877588.tif 000020
【図２０】
0003877588.tif 000021
【図２１】
0003877588.tif 000022
【図２２】
0003877588.tif 000023
【図２３】
0003877588.tif 000024
【図２４】
0003877588.tif 000025
【図２５】
0003877588.tif 000026
【図２６】
0003877588.tif 000027
【図２７】
0003877588.tif 000028
【図２８】
0003877588.tif 000029
【図２９】
0003877588.tif 000030
【図３０】
0003877588.tif 000031
【図３１】
0003877588.tif 000032